(57)【特許請求の範囲】
【請求項１】
扉面体(12)の上下両側に配置された上下一対の内側リンク(13)と、該内側リンク(13)の外側に配置された上下一対の外側リンク(14)とを縦方向の枢軸(15)により回動自在に枢着してなる扉単体(6)(6A)(6B) を伸縮方向に複数個配置し、伸縮時に該各扉単体(6)(6A)(6B) の前記内側リンク(13)と前記外側リンク(14)とが前記枢軸(15)廻りに反対方向に回動するように、隣り合う該各扉単体(6)(6A)(6B) 相互で相対応する前記内側リンク(13)と前記外側リンク(14)の端部側の内側ヒンジブラケット(21)(22)及び外側ヒンジブラケット(23)(24)同士を縦方向の連結ヒンジ(19)(20)により夫々屈折自在に連結した水平リンク式伸縮門扉において、前記各ヒンジブラケット(21)〜(24)は、前記扉単体(6)(6A)(6B) の前記各リンク(13)(14)の端部に挿入して固定された取付け基部(21a) 〜(24a) と、該取付け基部(21a) 〜(24a) から斜め外方に屈曲する屈曲腕部(21b) 〜(24b) と、該屈曲腕部(21b) 〜(24b) の先端側の円筒部(21c) 〜(24c) とを一体に備え、隣り合う前記各扉単体(6)(6A)(6B) の上下の前記各内側ヒンジブラケット(21)(22)は、前記屈曲腕部(21b)(22b)の前記取付け基部(21a)(22a)側に該取付け基部(21a)(22a)の幅方向の中央よりも前記屈曲腕部(21b)(22b)に偏位した位置から前記内側リンク(13)の長手方向に突出し且つ互いに当接して伸長時の逆折れを防止する突出部(21d)(22d)を備え、上下に対応する前記各内側ヒンジブラケット(21)(22)の前記円筒部(21c)(22c)と前記各外側ヒンジブラケット(23)(24)の前記円筒部(23c)(24c)に、前記扉単体(6)(6A)(6B) の上下両端に跨がる前記連結ヒンジ(19)(20)を挿通し、前記各扉単体(6)(6A)(6B) の上下の前記内側ヒンジブラケット(21)(22)の前記取付け基部(21a)(22a)を該各扉単体(6)(6A)(6B) の縦枠(16)(17)に固定したことを特徴とする水平リンク式伸縮門扉。
【発明の詳細な説明】
【０００１】
【発明の属する技術分野】
本発明は、水平リンク式伸縮門扉、取り分けその逆折れ防止構造に関するものである。
【０００２】
【従来の技術】
従来の水平リンク式伸縮門扉には、実公昭５７−４７０９号公報に記載のようなものがある。この水平リンク式伸縮門扉は、扉面体の上下両側に配置された上下一対の内側リンクと、この内側リンクの外側に配置された上下一対の外側リンクとを、その長手方向の略中央の縦方向の枢軸により回動自在に枢着して扉単体を構成すると共に、この扉単体を伸縮方向に複数個配置し、伸縮時に各扉単体の内側リンクと外側リンクとが枢軸廻りに反対方向に回動するように、隣り合う各扉単体相互で相対応する内側リンクと外側リンクの端部側同士を縦方向のヒンジにより夫々屈折自在に連結している。
【０００３】
この水平リンク式伸縮門扉では、門扉本体を伸ばし過ぎたときの逆折れを防止する必要があり、従来は、内側リンク及び外側リンクのヒンジ側の先端を斜め方向に切断して、その各リンクの端部に、傾斜当接面を有するキャップを装着し、門扉本体の伸長時に、伸縮方向に相対応するリンクのキャップ同士の傾斜当接面を当接させて、逆折れを防止するようにしている。
【０００４】
【発明が解決しようとする課題】
従来の伸縮門扉では、内側リンク及び外側リンクの各リンクの先端側を斜めに切断する必要があり、長尺の部材を切断してリンクを製作する場合の作業が煩雑になると言う問題がある。また各リンクのキャップ同士がその傾斜当接面で当接するので、各リンクの両端のキャップに傷が発生したり、長期間の使用によってキャップにガタ付きが発生したりする問題がある。
【０００５】
特にキャップは各リンクの両端にあり、その先端側が傾斜当接面となっているため、門扉本体を折り畳んだときに、その折り畳み状態の門扉本体の内外方向の両側にキャップが位置することになる。従って、キャップに傷が発生すれば、門扉本体を折り畳んだときに、その傷が非常に目立ち易いと言う問題がある。
【０００６】
本発明は、このような従来の問題点に鑑み、各リンクの先端側を斜めに切断する必要がなく、リンクのヒンジブラケットに突出部を設ける簡単な構造で逆折れを防止できると共に、その損傷等を容易に防止できる水平リンク式伸縮門扉を提供することを目的とする。
【０００７】
【課題を解決するための手段】
本発明は、扉面体12の上下両側に配置された上下一対の内側リンク13と、該内側リンク13の外側に配置された上下一対の外側リンク14とを縦方向の枢軸15により回動自在に枢着してなる扉単体6,6A,6B を伸縮方向に複数個配置し、伸縮時に該各扉単体6,6A,6B の前記内側リンク13と前記外側リンク14とが前記枢軸15廻りに反対方向に回動するように、隣り合う該各扉単体6,6A,6B 相互で相対応する前記内側リンク13と前記外側リンク14の端部側の内側ヒンジブラケット21,22 及び外側ヒンジブラケット23,24 同士を縦方向の連結ヒンジ19, 20により夫々屈折自在に連結した水平リンク式伸縮門扉において、前記各ヒンジブラケット21〜24は、前記扉単体6,6A,6B の前記各リンク13,14 の端部に挿入して固定された取付け基部21a 〜24a と、該取付け基部21a 〜24a から斜め外方に屈曲する屈曲腕部21b 〜24b と、該屈曲腕部21b 〜24b の先端側の円筒部21c 〜24c とを一体に備え、隣り合う前記各扉単体6,6A,6B の上下の前記各内側ヒンジブラケット21, 22は、前記屈曲腕部21b, 22bの前記取付け基部21a,22a 側に該取付け基部21a,22a の幅方向の中央よりも前記屈曲腕部21b,22b に偏位した位置から前記内側リンク13の長手方向に突出し且つ互いに当接して伸長時の逆折れを防止する突出部21d,22d を備え、上下に対応する前記各内側ヒンジブラケット21,22 の前記円筒部21c,22c と前記各外側ヒンジブラケット23,24 の前記円筒部23c,24c に、前記扉単体6,6A,6B の上下両端に跨がる前記連結ヒンジ19,20 を挿通し、前記各扉単体6,6A,6B の上下の前記内側ヒンジブラケット21,22 の前記取付け基部21a,22a を該各扉単体6,6A,6B の縦枠16,17 に固定したものである。
【０００８】
【発明の実施の形態】
以下、本発明の実施の形態を図面に基づいて詳述する。図１及び図２において、１  は塀、２  は出入口である。３  は吊り元支柱、４  は戸当たり支柱で、これらの支柱３，４  は塀１  の内側で出入口２  の左右両側で地面に立設されている。５  は伸縮自在に構成された水平リンク式の門扉本体で、吊り元支柱３  と戸当たり支柱４  との間に出入口２  を開閉するように伸縮自在に設けられている。
【０００９】
門扉本体５  は、伸縮方向に配置された複数個の扉単体６  と、その吊り元端側及び戸当たり端側に夫々配置された短扉単体６Ａ，６Ｂ  とを備えている。吊り元端側の短扉単体６Ａは吊り元ヒンジ７  を介して吊り元支柱３  に連結されている。また戸当たり端側の短扉単体６Ｂは施錠枠ヒンジ８  を介して施錠掛け枠９  に枢着されている。施錠掛け枠９  は施錠装置（図示省略）と把手１０とを有し、門扉本体５  の最大伸長時に、戸当たり支柱４  の施錠受け枠１１に当接して施錠できるようになっている。
【００１０】
各扉単体６  は、図３に示すように、扉面体１２と、この扉面体１２の上下両側に配置された水平方向の上下一対の内側リンク１３と、この各内側リンク１３の上下方向の外側近傍に所定の間隔をおいて水平方向に配置された上下一対の外側リンク１４とを備え、その内側リンク１３と外側リンク１４とが長手方向の中央に設けられた縦方向の枢軸１５により回動自在に枢支されている。
【００１１】
各短扉単体６Ａ，６Ｂ  は、扉単体６  の半分よりも若干長い程度であって、扉単体６  と同様に扉面体１２と、この扉面体１２の上下両側に配置された水平方向の上下一対の内側リンク１３と、この各内側リンク１３の上下方向の外側近傍に所定の間隔をおいて水平方向に配置された上下一対の外側リンク１４とを備えている。そして、吊り元端側の短扉単体６Ａの内側リンク１３と外側リンク１４は枢軸兼用の吊り元ヒンジ７  により、戸当たり端側の短扉単体６Ｂの内側リンク１３と外側リンク１４は枢軸兼用の施錠枠ヒンジ８  により夫々回動自在に枢着されている。
【００１２】
各扉面体１２は、図３に示すように上下一対の内側リンク１３の左右両端を上下に連結するように縦方向に装着された左右一対の縦枠１６，１７  と、この左右一対の縦枠１６，１７  間で上下一対の内側リンク１３間に左右方向に等間隔をおいて上下方向に装着された複数本の縦桟１８とから構成されている。
【００１３】
隣り合う各一対の扉単体６，６Ａ，６Ｂ  は、図４〜図７に示すように、伸縮時に内側リンク１３と外側リンク１４とが枢軸１５廻り（短扉単体６Ａでは吊り元ヒンジ７  廻り、短扉単体６Ｂでは施錠枠ヒンジ８  を含む）に反対方向に回動するように、一方の扉単体６，６Ａの内側リンク１３と他方の扉単体６Ａ，６Ｂ  の外側リンク１４、及び一方の扉単体６，６Ａの外側リンク１４と他方の扉単体６Ａ，６Ｂ  の内側リンク１３との端部同士が縦方向の連結ヒンジ１９，２０  で屈折自在に枢支連結されている。
【００１４】
即ち、隣り合う各一対の扉単体６，６Ａ，６Ｂ  の相対向する内側リンク１３、外側リンク１４の端部には、図４〜図７に示すように、門扉本体５  の内外方向の外側に夫々屈曲する内側ヒンジブラケット２１，２２  、外側ヒンジブラケット２３，２４  が夫々設けられている。各ヒンジブラケット２１〜２４は、取付け基部２１ａ  〜２４ａ  と、この取付け基部２１ａ  〜２４ａ  から門扉本体５  の内外方向の外側に屈曲する屈曲腕部２１ｂ  〜２４ｂ  と、この屈曲腕部２１ｂ  〜２４ｂ  の先端側の円筒部２１ｃ  〜２４ｃ  とを一体に備え、その取付け基部２１ａ  〜２４ａ  が内側リンク１３及び外側リンク１４の端部に挿入されてネジ等で夫々固定されている。
【００１５】
そして、一方の扉単体６，６Ａの内側リンク１３及び外側リンク１４に固定されたヒンジブラケット２１，２４  の円筒部２１ｃ，２４ｃ  と、他方の扉単体６Ａ，６Ｂ  の外側リンク１４及び内側リンク１３に固定されたヒンジブラケット２２，２３  の円筒部２２ｃ，２３ｃ  は上下に対応し、この各円筒部２１ｃ，２４ｃ  、２２ｃ，２３ｃ  に、各扉単体６  の上下両端に跨がるように連結ヒンジ１９，２０  が上下方向に挿通され、この連結ヒンジ１９，２０  により各扉単体６，６Ａ，６Ｂ  が屈折自在に枢支連結されている。
【００１６】
各内側ヒンジブラケット２１，２２  には、屈曲腕部２１ｂ，２２ｂ  の取付け基部２１ａ，２２ａ  側に突出部２１ｄ，２２ｄ  が夫々一体に設けられている。突出部２１ｄ，２２ｄ  は伸長時の逆折れ防止用であって、取付け基部２１ａ，２２ａ  の幅方向の中央よりも屈曲腕部２１ｂ，２２ｂ  の屈曲方向側に若干偏位した位置から、内側リンク１３の長手方向の外方に突出しており、門扉本体５  の伸長時に隣り合う扉単体６，６Ａ，６Ｂ  の相対向する突出部２１ｄ，２２ｄ  同士が互いに当接して各扉単体６，６Ａ，６Ｂ  の逆折れを防止するようになっている。なお、内側ヒンジブラケット２１，２２  の取付け基部２１ａ，２２ａ  は縦枠１６，１７  にもネジ等で固定されている。２５はキャスター車輪である。
【００１７】
次に、この水平リンク式伸縮門扉を開閉する際の動作を説明する。出入口２  を開放した時には、門扉本体５  は、図２に二点鎖線で示すように、吊り元支柱３  の近傍で収縮状態にある。
【００１８】
門扉本体５  を伸長させて出入口２  を閉じる場合には、施錠掛け枠９  の把手１０を持って戸当たり支柱４  の施錠受け枠１１側に向けて戸当たり支柱４  側へと引っ張る。するとキャスター車輪２５が地面上を転動し、門扉本体５  が戸当たり支柱４  側に順次伸長して行く。そして、門扉本体５  が最大状態まで伸長すると、図１及び図２に示すように施錠掛け枠９  が施錠受け枠１１に当接して施錠装置により施錠される。
【００１９】
この門扉本体５  の伸長時に、各外側リンク１４と内側リンク１３は枢軸１５廻りに互いに逆方向に回動し、交差状態から平行状態へと変化して行く。そして、門扉本体５  の最大伸長時には両者が平行になり、図２に示すように、平面視において上下に重なって一直線状になる。
【００２０】
門扉本体５  を勢いよく伸ばした場合、内側リンク１３と外側リンク１４とが平行状態を越えて枢軸１５廻りに図５のａ及びｂ矢示方向に回動して逆折れしようとする。しかし、内側リンク１３が枢軸１５廻りに回動し過ぎると、隣り合う扉単体６  の内側リンク１３に固定された内側ヒンジブラケット２１，２２  の突出部２１ｄ，２２ｄ  同士が内外方向に当接して逆折れを防止する。
【００２１】
従って、内側リンク１３の端部に内側ヒンジブラケット２１，２２  を備えたものでは、その内側ヒンジブラケット２１，２２  に突出部２１ｄ，２２ｄ  を設ける程度の簡単な構造で逆折れを防止でき、従来の各リンクの先端を斜めに切断するものに比較して内側リンク１３、外側リンク１４の製作も簡単であり容易に実施できる。
【００２２】
また内側ヒンジブラケット２１，２２  に突出部２１ｄ，２２ｄ  を設けており、その突出部２１ｄ，２２ｄ  の側面同士が当接するように構成できるので、突出部２１ｄ，２２ｄ  の損傷等を容易に防止できる。特に突出部２１ｄ，２２ｄ  は屈曲腕部２１ｂ，２２ｂ  の取付け基部２１ａ，２２ａ  側にあり、この突出部２１ｄ，２２ｄ  で屈曲腕部２１ｂ，２２ｂ  の付け根部分を厚肉に構成する等によって補強できるので、突出部２１ｄ，２２ｄ  及び屈曲腕部２１ｂ，２２ｂ  の強度も大にできる。
【００２３】
仮に突出部２１ｄ，２２ｄ  の側面に多少の傷が付いても、その突出部２１ｄ，２２ｄ  を内側ヒンジブラケット２１，２２  に設けているので、従来に比較して突出部２１ｄ，２２ｄ  の傷を目立ち難くできる利点がある。しかも位置的には扉単体６  の上側が比較的目につき易くなるが、突出部２１ｄ，２２ｄ  を内側ヒンジブラケット２１，２２  に設けており、その上側に外側ヒンジブラケット２３，２４  があるため、突出部２１ｄ，２２ｄ  の傷等を目立ち難くできる。
【００２４】
以上、本発明の実施例を例示したが、本発明はこの実施例に限定されるものではない。例えば、吊り元端側の短扉単体６Ａは、内側リンク１３を短くし、外側リンク１４を扉単体６  の外側リンク１４と同じ長さにして、この外側リンク１４の長手方向の中央で枢軸１５により内側リンク１３と枢着しても良い。従って、門扉本体５  は、各扉単体６  の相対向する端部側において、その内側リンク１３に内側ヒンジブラケット２１，２２  を、外側リンク１４に外側ヒンジブラケット２３，２４  を夫々備え、この両ヒンジブラケット２１，２２  、２３，２４  を連結ヒンジ１９，２０  で枢着する構造のものであれば十分であり、実施形態に限定されるものではない。
【００２５】
また実施形態では、上下一対の内側リンク13の内側ヒンジブラケット21,22 に突出部21d,22d を設けて逆折れを防止するようにしているが、上下一対の内側リンク13の内、その上側又は下側の一方の内側リンク13の内側ヒンジブラケット21,22 に突出部21d,22d を設けても良いし、上下一対の各外側リンク14の外側ヒンジブラケット23,24 、又は上下の何れかの一方の外側リンク14の外側ヒンジブラケット23,24 に突出部を設けても良い。勿論、上下一対の内側リンク13及び外側リンク14の全てのヒンジブラケット21〜24に突出部を設けることも可能である。
【００２６】
更に実施形態では、上下一対の内側リンク１３を扉面体１２の上下の枠に兼用しているが、扉面体１２と内側リンク１３との間にスペーサ等を介在する等の構造を採り、扉面体１２と内側リンク１３とを別体に設けても良い。
【００２７】
また内側リンク１３、外側リンク１４等は、実施形態では真っ直ぐにしているが、平面視形状が緩やかなＳ字状になるように構成しても良い。内側リンク１３と外側リンク１４とを枢支する連結ヒンジ１９，２０  は、実施形態では上下一対の外側リンク１４に跨がって一体にしているが、上下に二分割しても良い。
【００２８】
【発明の効果】
本発明によれば、各リンク13,14 の先端側を斜めに切断する必要がなく、またヒンジブラケット21,22 に突出部21d,22d を設ける程度の簡単な構造で逆折れを防止できると共に、その損傷等を容易に防止できる。
【図面の簡単な説明】
【図１】本発明の一実施形態を示す伸縮門扉の正面図である。
【図２】本発明の一実施形態を示す一部破断伸縮門扉の平面図である。
【図３】本発明の一実施形態を示す伸縮門扉の拡大正面図である。
【図４】本発明の一実施形態を示す連結部分の一部破断側面図である。
【図５】本発明の一実施形態を示す連結部分の平面図である。
【図６】本発明の一実施形態を示す連結部分の斜視図である。
【図７】本発明の一実施形態を示す連結部分の平面断面図である。
【符号の説明】
６，６Ａ，６Ｂ      扉単体
１２    扉面体
１３    内側リンク
１４    外側リンク
１５    枢軸
１９，２０      連結ヒンジ
２１〜２４    ヒンジブラケット
２１ｄ，２２ｄ      突出部
【図１】
0003590958.tif 000002
【図２】
0003590958.tif 000003
【図３】
0003590958.tif 000004
【図４】
0003590958.tif 000005
【図５】
0003590958.tif 000006
【図６】
0003590958.tif 000007
【図７】
0003590958.tif 000008